(57)【特許請求の範囲】
【請求項１】
音声を記録再生する音声記録再生装置であって、
入力端子を介して入力した音声信号を記録媒体に記憶する記録手段と、
上記入力端子を介して入力した制御信号に基づいて該音声記録再生装置の動作制御を行う制御手段と、
上記入力端子に上記制御信号を送出する遠隔操作装置が接続されているか否かを検出する検出手段と、
上記検出手段により、上記入力端子に遠隔操作装置が接続されていることが検出された場合には、上記記録手段による音声信号の記録動作を禁止する禁止手段と、
を具備することを特徴とする音声記録再生装置。
【請求項２】
上記記録手段は、アナログ形式で供給される上記音声信号を符号化した後に、上記記録媒体に記録することを特徴とする請求項１に記載の音声記録再生装置。
【請求項３】
上記入力端子は、外部マイクを接続するためのマイク入力端子であることを特徴とする請求項２に記載の音声記録再生装置。
【請求項４】
音声の記録及び再生を行うことが可能な動作モードであるレコーダモードと、音声の記録はできないが、記録されている音声を再生することは可能な動作モードであるプレーヤモードと、を有する音声記録再生装置において、
外部装置からの入力信号を入力するための入力手段と、
上記入力手段に遠隔操作装置が接続されているか否かを検出する検出手段と、
上記レコーダモードのときには、上記入力手段に入力される音声信号、または内蔵マイクで得られた音声信号を、記録媒体に記録する記録手段と、
上記プレーヤモードのときには、上記入力手段に入力される入力信号に基づいて、該音声記録再生装置の動作制御を行う制御手段と、
上記検出手段により、上記入力手段に遠隔操作装置が接続されていることが検出された場合には、上記記録手段による音声信号の記録動作を禁止する禁止手段と、
を具備することを特徴とする音声記録再生装置。
【請求項５】
上記記録手段は、アナログ形式で供給される上記音声信号を符号化した後に、上記記録媒体に記録することを特徴とする請求項４に記載の音声記録再生装置。
【請求項６】
上記外部装置は、外部マイクであることを特徴とする請求項５に記載の音声記録再生装置。
【発明の詳細な説明】
【０００１】
【発明の属する技術分野】
本発明は、ヘッドホンまたは外部マイク等の外部装置を接続するための入力端子を有する音声記録再生装置に関する。
【０００２】
【従来の技術】
従来、マイクを通して入力された音声をメモリカードなどの記録媒体に記録し、そのような記録媒体に記録された音声を再生する音声記録再生装置において、ヘッドホンや外部マイクなどの外部装置を接続できるものが広く用いられている。
【０００３】
こうした流れの中で、例えば特開平７−１５３２４４号公報に開示されているように、ヘッドホンと音声記録再生装置を操作するためのリモートコントロール装置（以下、リモコンと記す。）を一体化させて、音声記録再生装置本体の操作釦を操作すること無く手軽に音声記録再生装置の操作が行えるようなものも開発されている。
【０００４】
【発明が解決しようとする課題】
しかしながら、このようなリモコンと一体化させたヘッドホンを用いるような音声記録再生装置であっても、音声記録再生装置側には、マイク専用の入力端子、ヘッドホン専用の入力端子及びリモコン専用の入力端子という具合に、それぞれの専用の入力端子を設けなければならず、その分場所をとり、装置の小型化にも支障をきたすなどの問題があった。
【０００５】
本発明は、上記の事情に鑑みてなされたもので、比較的簡単な構造で、装置に必要な入力端子の数を省略することができ、その結果、装置の小型化を行うことが可能な音声記録再生装置を提供することを目的とする。
【０００６】
【課題を解決するための手段】
上記の目的を達成するために、本発明による音声記録再生装置は、音声を記録再生する音声記録再生装置であって、入力端子を介して入力した音声信号を記録媒体に記憶する記録手段と、上記入力端子を介して入力した制御信号に基づいて該音声記録再生装置の動作制御を行う制御手段と、上記入力端子に上記制御信号を送出する遠隔操作装置が接続されているか否かを検出する検出手段と、上記検出手段により、上記入力端子に遠隔操作装置が接続されていることが検出された場合には、上記記録手段による音声信号の記録動作を禁止する禁止手段とを具備することを特徴とする。
【０００７】
また、上記の目的を達成するために、本発明による音声記録再生装置は、音声の記録及び再生を行うことが可能な動作モードであるレコーダモードと、音声の記録はできないが、記録されている音声を再生することは可能な動作モードであるプレーヤモードと、を有する音声記録再生装置において、外部装置からの入力信号を入力するための入力手段と、上記入力手段に遠隔操作装置が接続されているか否かを検出する検出手段と、上記レコーダモードのときには、上記入力手段に入力される音声信号、または内蔵マイクで得られた音声信号を、記録媒体に記録する記録手段と、上記プレーヤモードのときには、上記入力手段に入力される入力信号に基づいて、該音声記録再生装置の動作制御を行う制御手段と、上記検出手段により、上記入力手段に遠隔操作装置が接続されていることが検出された場合には、上記記録手段による音声信号の記録動作を禁止する禁止手段とを具備することを特徴とする。
【０００９】
即ち、本発明の音声記録再生装置によれば、音声信号を入力する外部マイクと、本音声記録再生装置の操作を行うことができる遠隔操作装置とを１つの入力端子で兼用して接続することができるため、装置に必要な入力端子の数を省略することができ、装置自体の小型化が期待できる。
【００１０】
【発明の実施の形態】
以下、図面を用いて本発明の実施の形態を説明する。
【００１１】
［第１の実施の形態］
図１は、第１の実施の形態に係る音声記録再生装置の構成を示すブロック図である。
【００１２】
まず、本音声記録再生装置において、音声を記録する場合における信号の流れに沿って各ブロックの説明を行う。なお、本明細書において、用語「音声」とは、人の話し声に限られるものではなく例えば鳥や動物の鳴き声、更に音楽等も含む、オーディオ情報全般を含むものとして使用する。
【００１３】
本実施形態の音声記録再生装置は内部に、入力された音声を電気信号に変換する内蔵マイク１０１と、外部マイクまたは、リモコンからの信号を入力するジャック１０２とを具備している。ジャック１０２は、後述するプレーヤモード中はリモコンジャックとして機能し、後述するレコーダモード中はマイクジャックとして機能する。なお、本実施形態の音声記録再生装置の録音時における入力は、内蔵マイク１０１及びジャック１０２のいずれも音声チャンネルがひとつのモノラルでの入力としている。
【００１４】
入力切換スイッチ１０３は、基本的に、ジャック１０２にプラグが挿入されていない場合には内蔵マイク側１０３ａを選択しており、プラグが挿入された場合には、ジャック側１０３ｂに切り換えられるメカスイッチである。
【００１５】
従って、ジャック１０２にリモコンプラグが挿入されているときには、そのリモコンからの信号が該入力切換スイッチ１０３を介して、マイクロコンピュータ等で構成される制御回路（ＣＰＵ）１１６のＡ／Ｄ入力端に入力される。このとき、ＣＰＵ１１６は、リモコンを通して入力された信号のレベルの違いによって、各動作モード（再生、早送り等）に移行する。なお、リモコンからの入力信号レベル検出のために、Ａ／Ｄ入力端はプルアップ抵抗１３０により所定電圧にプルアップされている。
【００１６】
一方、入力切換スイッチ１０３によって選択された内蔵マイク１０１または外部マイク音声信号は、プリアンプ１０４に入力され、所定の増幅率でもって増幅される。プリアンプ１０４の増幅率あるいは電源供給の制御等は、本音声記録再生装置の動作全体を制御する制御回路であるＣＰＵ１１６によって制御されている。従って、上記ジャック１０２にリモコンプラグが挿入されている場合には、このプリアンプ１０４への電源供給は絶たれ、リモコンからの信号を増幅するようになっている。なお、上記ジャック１０２にリモコンプラグと外部マイクプラグのいずれが挿入されているかの検出手法については、後述する。
【００１７】
上記プリアンプ１０４によって増幅された音声信号は、アナログの音声信号とデジタル信号との間で信号を変換するステレオコーデック１０５の入力アンプ１０５ａに入力される。音声信号は、ここで再度増幅された後に、アナログ信号である音声信号をデジタル信号に変換するＡ／ＤコンバータＲ１０５ｂ及びＡ／ＤコンバータＬ１０５ｃのそれぞれに入力される。ここで音声信号はデジタル音声信号に変換され、デジタルフィルタ１０５ｄに入力される。なお、ステレオコーデック１０５自体は、ステレオ信号に対するアナログ信号からデジタル信号への変換、及びデジタル信号からアナログ信号への変換に対応しているので、Ａ／Ｄコンバータも右チャンネル用及び左チャンネル用の１０５ｂと１０５ｃの２つが備えられているが、レコーダモードにおいては、内蔵マイク１０１またはジャック１０２からの入力がモノラル入力であるため、前述したように１つの入力信号をそれぞれのＡ／Ｄコンバータ１０５ｂ及び１０５ｃの両方に入力するような構成を採っている。
【００１８】
デジタルフィルタ１０５ｄでは、上記音声信号からデジタル信号への変換が行われたときに発生するエリアシングノイズと呼ばれる不要な量子化ノイズをデジタル音声信号から取り除く処理が行われる。そして、量子化ノイズが取り除かれたデジタル音声信号は、デジタル信号処理部（ＤＳＰ）１１４に転送される。
【００１９】
ＤＳＰ１１４では、ＣＰＵ１１６の制御のもとで、入力されたデジタル音声信号をフレーム単位で所定のフォーマットに従って符号化（圧縮変換）し、符号化データを生成する。本音声記録再生装置では、Digital Speech Standard方式（以後、ＤＳＳ方式と記し、ＤＳＳ方式で符号化された符号化データファイルをＤＳＳファイルと記す。）と呼ばれる符号化方式を用いることとする。
【００２０】
このようにして生成された符号化データは、符号化データ記録手段としてのメモリカード１１７に転送される。メモリカード１１７は、本音声記録再生装置に対して着脱可能なカード形状をした、フラッシュメモリなどの半導体メモリで構成されている。具体的には、Smart Media（登録商標）等があり、本音声記録再生装置ではこれを用いることとする。符号化データは、双方向バストランシーバＩＣ１１５を介したＣＰＵ１１６の制御のもとで、メモリカード１１７内の所定のアドレスに順次書き込まれる。なお、メモリカード１１７内に書き込まれた符号化データはファイルを１つの単位として扱われる。また、本音声記録再生装置での音声の記録はモノラルで行われるようになっているので、右のＡ／ＤコンバータＲ１０５ｂ側から出力されたデジタル音声信号の符号化データのみメモリカード１１７に記録されるようになっている。
【００２１】
次に、メモリカード１１７に記録された符号化データを再生する際の信号の流れに沿って各ブロックの機能などの説明を行う。
【００２２】
まず、メモリカード１１７から、ＤＳＰ１１４へ符号化データを順次転送する。ＤＳＰ１１４に転送された符号化データはＣＰＵ１１６の制御のもとで、所定のフレーム単位でデジタル音声信号に復号化（伸張変換）される。なお、後述するが、メモリカード１１７には、ＤＳＳファイル以外の符号化データも記録可能となっている。従って、ＤＳＰ１１４ではメモリカード１１７から送られてきた符号化データに対して、どの符号化方式が用いられているのかを判別し、その符号化方式に従って符号化データを復号化する。本実施の形態における音声記録再生装置は、マイクロソフト社（登録商標）のWindows Media（登録商標）方式（以後、ＷＭＡ方式と記し、ＷＭＡ方式で符号化された符号化データファイルをＷＭＡファイルと記す。）、Motion Picture Experts Groupe-1 Audio Layer3方式（以後、ＭＰ３方式と記し、ＭＰ３方式で符号化された符号化データファイルをＭＰ３ファイルと記す。）及び上記ＤＳＳ方式の３種類の符号化データの復号化を行うことができることとする。復号化されたデジタル音声信号はステレオコーデック１０５に転送される。
【００２３】
転送されたデジタル音声信号は、ステレオコーデック１０５内のデジタルフィルタ１０５ｄにおいて、不要な量子化ノイズの除去が行われる。その後、左右各チャンネル毎にＤ／ＡコンバータＲ１０５ｅ及びＤ／ＡコンバータＬ１０５ｆにおいてデジタル音声信号からアナログの音声信号への変換が行われ、出力アンプＲ１０５ｇ及び出力アンプＬ１０５ｈで信号の増幅が行われ、ステレオコーデック１０５から出力される。なお、もとの符号化データがモノラルでのデータであった場合には、左右両チャンネルに同じ信号を入力して、前述の処理を行った後、出力される。
【００２４】
ステレオコーデック１０５から出力された左右各チャンネルの音声信号は、お互いに連動している出力切換スイッチ１０６及び１０７によって、その出力先が切り換えられる。音声信号の出力先には、外部ヘッドホンなどを接続して外部の再生機器を用いて音声信号を再生するヘッドホンジャックＲ１１１及びヘッドホンジャックＬ１１２と、本音声記録再生装置に備えられたスピーカ１１３の２つが用意されている。
【００２５】
出力切換スイッチ１０６及び１０７がそれぞれ１０６ａ及び１０７ａ側に切り換えられた場合には、出力先としてヘッドホンジャックＲ１１１及びヘッドホンジャックＬ１１２が選択される。そして、ヘッドホンアンプＲ１０８及びヘッドホンアンプＬ１０９で両ヘッドホンジャックからの出力にあわせた増幅率で音声信号が増幅され、左右各チャンネル毎に出力される。
【００２６】
出力切換スイッチ１０６及び１０７が、それぞれ１０６ｂ及び１０７ｂ側に切り換えられた場合には、出力先としてスピーカ１１３が選択される。なお、スピーカ１１３は、１つしか本音声記録再生装置に内蔵されていないので、音声信号は左右各チャンネルの信号を合成した後に、スピーカアンプ１１０でスピーカ１１３に適正な増幅率で増幅され、スピーカ１１３から出力される。
【００２７】
また、ＣＰＵ１１６には、前述したものの他にもいくつかの回路等が接続されている。表示部１１９は、２色ＬＥＤと、バックライトを有する液晶ディスプレイ（ＬＣＤ）とで構成されていて、本音声記録再生装置の動作状態などを表示する。また、表示駆動回路１１８は、ＣＰＵ１１６の制御のもとで、表示部１１９を表示駆動する。
【００２８】
操作スイッチ群１２０の詳細は、後述するが、本音声記録再生装置の外装に設けられていて、本音声記録再生装置の各種機能を制御するための操作スイッチであり、録音釦、停止釦、再生釦、早戻釦、早送釦、消去釦、インデクス釦、メニュー釦、フォルダ釦、メインスイッチ、動作モードスイッチ、マイク感度スイッチ及びホールドスイッチ等で構成されている。
【００２９】
電源回路１２１は、本音声記録再生装置を駆動するための電力を供給するための回路で、バッテリー、バッテリーチェック回路、パワーオンリセット回路、昇圧回路、降圧回路及び外部電源回路といった電源制御に関する回路を含む。
【００３０】
内蔵メモリ１２２は、本音声記録再生装置に内蔵されている書き換え可能な不揮発性メモリであるＥＥＰＲＯＭで構成されており、ユーザＩＤ、録音モード（標準モード／長時間モード）の選択設定、ＢＥＥＰ音（ＯＮ／ＯＦＦ）の選択設定、データの再生位置など、ＣＰＵ１１６に電源が供給されなくなっても記録しておきたい各種設定、パラメータ等を記録しておくものである。
【００３１】
また、本音声記録再生装置は、パーソナルコンピュータ（ＰＣ）等の外部装置と接続可能である。本音声記録再生装置は外部装置と接続し、双方向通信を行うことで、例えば、ＰＣのハードディスク等に記録されている符号化データファイルをメモリカード１１７に転送したり、その逆に、メモリカード１１７に記録されている符号化データファイルをＰＣ側の記録媒体に転送したり、あるいは、内蔵マイク１０１から入力された音声信号をステレオコーデック１０５でデジタル音声信号に変換し、ＤＳＰ１１４で符号化した符号化データを直接ＰＣ側の記録媒体に記録するようにしたりするなど、この他にも様々な処理を行うことができるようになる。ＰＣ等の外部装置との通信のために、本実施の形態における音声記録再生装置では、Universal Serial Bus（ＵＳＢ）と呼ばれるインターフェースを介して外部装置と接続するように構成されている。ＵＳＢ接続端子１２４は、ＵＳＢケーブルに接続するための接続端子であり、ＵＳＢドライバ１２３によって制御され、図示しない内部バスを介してＣＰＵ１１６に接続されている。
【００３２】
双方向バストランシーバＩＣ１１５は、メモリカード１１７の図示しない音声記録再生装置側の接続端子と、ＣＰＵ１１６及びＵＳＢ接続端子１２４との間の接続を遮断するために、バスラインに設けられているものである。これは、ＵＳＢ接続端子１２４にＵＳＢケーブルが接続され、ＣＰＵ１１６が外部装置と通信しているときに、メモリカード１１７の挿入動作が行われてしまった場合に、バスライン間で電気的にショートしてしまい、メモリカード１１７やＣＰＵ１１６が破損等してしまうことを防止するためのものである。従って、メモリカード１１７が装填されておらず、ＣＰＵ１１６が外部装置とＵＳＢ接続端子１２４を介して通信しているときには、双方向バストランシーバＩＣ１１５は、メモリカード１１７の音声記録再生装置側の接続端子と、ＣＰＵ１１６との接続を遮断するように構成されている。
【００３３】
ここで、本音声記録再生装置の動作モードについて説明する。本音声記録再生装置には２つの動作モードがある。１つは、内蔵マイク１０１やジャック１０２から入力される音声を記録し、またその記録した音声を再生することが可能な第１のモード（以後、レコーダモードと記す。）であり、もう１つは、記録動作を行うことができず、記録媒体に記録されている符号化データファイルを再生することに特化した第２のモード（以後、プレーヤモードと記す。）である。本実施の形態における音声記録再生装置の、レコーダモードにおける符号化方式は、主としてメッセージメモやディクテーション、会議録音などでの使用を想定し、高圧縮で長時間録音に適しているＤＳＳ方式を用いている。一方、プレーヤモードにおける符号化方式は、主として音楽を聴くことを想定し、高音質な再生が可能なＷＭＡ方式及びＭＰ３方式の符号化を用いている。
【００３４】
次に、本音声記録再生装置の外観を図２及び図３を用いて説明する。図２は、本実施の形態における音声記録再生装置の外観を斜め前方から見た図であり、図３は斜め後方から見た図である。
【００３５】
音声記録再生装置本体２０１の正面には、上記表示部１１９のＬＣＤの表示窓２０２が配置されている。この表示窓２０２は、ＬＣＤ表示装置で構成されており、電池残量、録音モード、ファイル番号、ユーザＩＤ、各種時刻表示、動作状態表示など様々な表示を行うことができる。また、各操作釦を操作したときには数秒間バックライトが点灯するようになっている。
【００３６】
次に、前述した操作スイッチ群１２０の説明をする。
【００３７】
録音釦２０３は、音声の記録の開始を指示するための釦である。この録音釦２０３はレコーダモードのみで操作可能であり、プレーヤモードで操作した場合には警告音が鳴り、記録開始指示は無視される。
【００３８】
停止釦２０４は、本音声記録再生装置が記録、再生等の動作中である場合に、それらの動作の停止を指示するための釦である。
【００３９】
再生釦２０５は、メモリカード１１７に記録されている符号化データファイルの再生開始を指示するための釦である。
【００４０】
早戻釦２０６は、再生中の符号化データファイルの早戻しを行ったり、再生する符号化データファイルの選択を行う際にファイル番号をデクリメントしたり、メニュー設定の際にパラメータをデクリメントしたりするための釦である。
【００４１】
早送釦２０７は、再生中の符号化データファイルの早送り再生を行ったり、再生する符号化データファイルの選択を行う際にファイル番号をインクリメントしたり、メニュー設定の際にパラメータをインクリメントしたりするための釦である。なお、早戻釦２０６と早送釦２０７は一体的に構成されており、いわゆるシーソースイッチとなっている。
【００４２】
消去釦２０８は、早戻釦２０６または早送釦２０７等を用いて選択されている符号化データファイルをメモリカード１１７から消去するための釦である。具体的には、消去したい符号化データファイルを選択して、一度消去釦２０８を押すと、表示窓２０２に消去しようとしている符号化データファイルが点滅表示されるので、点滅表示している間にもう一度消去釦２０８を押すという動作を行う。これにより、所望の符号化データファイルをメモリカード１１７から消去することができる。
【００４３】
インデクス釦２０９は、上記レコーダモードとプレーヤモードとで、その機能が異なる釦である。レコーダモードの場合は、インデクスマークを記録中の符号化データファイルに付与する。なお、インデクスマークの記録可能数は１ファイルにつき１６個以内とする。また、プレーヤモードの場合は、再生する音楽に適した周波数特性を予め数種類（本音声記録再生装置では、ノーマル、ポップス、ジャズ、クラシック、ユーザ定義の５種類）用意しておき、その中から所望の周波数特性を選択し、再生音を変更するための釦である。
【００４４】
なお、上記インデクスマークとは、口述記録等において、その部分にタイピストへの指示を入れたい場合等に、その部分に付与されるマークであり、後から挿入録音でその部分に指示内容を録音する、ということが行えるようになっているものである。
【００４５】
メニュー釦２１０は、録音モードの設定、時計の設定、ユーザＩＤの設定など本音声記録再生装置に関わる諸設定を行うための釦である。また、プレーヤモードでは、サラウンド効果あるいは低音増幅などの特殊効果の切り換えを行うことができる。
【００４６】
フォルダ釦２１１は、上記レコーダモードとプレーヤモードとでその機能が異なる釦である。レコーダモードの場合は、メモリカード１１７内には符号化データファイルを格納するのに複数のフォルダが用意されているのであるが、それらを切り換えるための釦として機能する。プレーヤモードの場合は、再生モードの設定を行うための釦として機能する。本音声記録再生装置の場合には、プレーヤモードで扱う符号化ファイル全てを順番に１回だけ再生（通常再生モード）、１ファイルのみの繰り返し再生（１曲リピート再生モード）、プレーヤモードで扱う符号化ファイルをすべて順番に繰り返し再生（全曲リピート再生モード）、プレーヤモードで扱う符号化ファイルをランダムに繰り返し再生（ランダムリピート再生モード）、及びプレーヤモードで扱う符号化ファイルを１回ずつランダムな順番で再生（ランダム再生モード）の中から選択することができる。
【００４７】
なお、上記各種操作釦は押し釦スイッチとなっており、押圧の操作でスイッチ状態がＯＮとなるように構成されているものとする。
【００４８】
動作モードスイッチ２１２は、本音声記録再生装置の動作モードを、上記レコーダモードとプレーヤモードとの間で切り換えるためのスイッチである。
【００４９】
マイク感度スイッチ２１３は、内蔵マイク１０１の入力レベルを設定するためのスイッチで、高感度（会議モード）と低感度（口述モード）との間で切り換えが可能である。
【００５０】
ホールドスイッチ２１４は、押し釦スイッチの操作入力を無効にし、動作が停止している場合には本音声記録再生装置の動作モードを省電力モードに移行させる、いわゆるホールド機能を設定及び解除するためのスイッチである。
【００５１】
メインスイッチ２１５は、本音声記録再生装置の動作をＯＮ／ＯＦＦするスイッチである。また、このメインスイッチ２１５は、ＯＮ状態においてイジェクトつまみ２２２と機械的に係合し、メモリカード１１７を取り出せないように構成されている。以上が上記操作スイッチ群１２０に相当する。
【００５２】
ヘッドホンジャック２１６は、ヘッドホン、外部スピーカあるいは外部音声処理装置に音声信号を出力するためのもので、上記ヘッドホンジャックＲ１１１とヘッドホンジャックＬ１１２が一体的に構成されたものである。また、スピーカ１１３からも再生音を出力することができる。なお、再生出力の切り換え機構は、ヘッドホンジャック２１６にプラグが差し込まれていれば、ヘッドホンジャック２１６から再生信号を出力し、ヘッドホンジャック２１６にプラグが差し込まれていなければ、スピーカ１１３から再生音を出力するように構成されている。なお、これらヘッドホンジャック２１６及びスピーカ１１３からは、警告信号または警告音を発生することもできる。
【００５３】
ジャック１０２は、前述したような、マイクジャックとリモコンジャックの２種類の機能を持つジャックである。このジャック１０２の横に上記内蔵マイク１０１が配置されている。
【００５４】
インジケータ２１８は、主に再生または記録動作の状態を表示するもので、上記表示部１１９の一部である２色ＬＥＤが用いられている。再生中には緑色に点灯し、記録中は赤色に点灯するように構成されている。また、インジケータ２１８は、警告表示にも用いられ、何らかの理由でユーザに対して警告を発するときは赤色の点滅表示を行う。
【００５５】
ボリュームつまみ２１９は、ヘッドホンジャック２１６及びスピーカ１１３からの出力レベルを調節するためのものである。
【００５６】
記録媒体挿入口２２０は、メモリカード１１７を挿入するための開口部である。
【００５７】
電源ジャック２２１は、外部電源と接続して外部から電力の供給をうけるためのものである。イジェクトつまみ２２２は、記録媒体挿入口２２０に挿入されているメモリカード１１７を取り出すためのものである。電池蓋２２３は、図示しない電地室を覆っている蓋である。
【００５８】
ＵＳＢ接続端子蓋２２４は、ＰＣ等の外部装置に接続して通信を行うための上記ＵＳＢ端子１２４を覆っている蓋である。
【００５９】
次に、図４を用いて、本音声記録再生装置に用いられているメモリカード１１７には、どのようにデータが記録されているかを説明する。
【００６０】
メモリカード１１７のルートディレクトリには、符号化データファイル４１、曲順データファイル４２、ＤＳＳファイルフォルダ４３、４４、４５及びシステムフォルダ５４が記録されている。
【００６１】
符号化データファイル４１は、拡張子に「ｍｐ３」または「ｗｍａ」を有しており、これらがＭＰ３方式あるいはＷＭＡ方式で符号化された音楽データファイルであることを示している。そして、これらは上記プレーヤモードで再生が可能な符号化データファイルである。
【００６２】
曲順データファイル４２は、上記プレーヤモードで再生が可能な符号化データファイルの再生の順番をテーブルデータとして有しているファイルである。プレーヤモードで符号化データファイルの再生の順番を変えたい場合には、この曲順データファイル４２をＣＰＵ１１６の制御により書き換える。
【００６３】
ＤＳＳファイルフォルダ４３、４４、４５は、ＤＳＳファイルを格納しておくためのフォルダである。レコーダモードでは、ＤＳＳファイルを整理するためにＡ、Ｂ、Ｃの３つのフォルダが設けられており、ＤＳＳファイルフォルダ４３、４４、４５はこれらのフォルダＡ、Ｂ、Ｃに対応する。ＤＳＳファイルフォルダ４３、４４、４５にはそれぞれＤＳＳファイル４６、４７、４８が格納されており、これらはレコーダモードにおいて再生が可能である。
【００６４】
また、記録時には、これらＤＳＳファイルフォルダ４３、４４、４５のいずれかにＤＳＳファイルが作成される。ＤＳＳファイル４６、４７、４８の再生の順番はそれぞれフォルダ毎に、テーブルデータとして再生順データファイル５１、５２、５３に記録されている。なお、上記表示窓２０２の表示能力、あるいはユーザの使い勝手等を考慮し、本実施の形態における音声記録再生装置では、レコーダモードにおける１フォルダあたりの記録可能ファイル数は１９９件とし、全体では５９７件としている。
【００６５】
ＤＳＳファイルフォルダ４３には、前述のファイルの他に、フォルダ名データファイル４９とリカバリーデータファイル５０が記録されている。本音声記録再生装置では、上記ＤＳＳファイルフォルダＡ４３、Ｂ４４、Ｃ４５は、表示窓２０２における表示名に変更することができる。フォルダ名データファイル４９は、その表示名とＤＳＳフォルダファイル４３、４４、４５を対応付けさせるためのデータが記録されている。また、リカバリーデータファイル５０は、何らかの理由で、ＤＳＳファイルフォルダ４３、４４、４５内のデータが破壊されてしまったときに、データの復旧を行うためのデータが記録されているファイルである。
【００６６】
システムフォルダ５４は、プレーヤモードで再生される符号化データファイルのコーデックファイル５５、５６を格納するためのフォルダである。コーデックファイル５５、５６のファイル名の先頭３文字は、対応する符号化データファイルの拡張子を用いている。また、これらコーデックファイルの拡張子は「ｉｍｇ」が用いられている。なお、レコーダモードでの記録及び再生のためのコーデックファイルはＣＰＵ１１６内の図示しないＲＯＭに格納されている。
【００６７】
図５の（Ａ）は上記ヘッドホンジャック２１６に挿入されるヘッドホン及び上記ジャック１０２に接続されるリモコン（遠隔操作装置）の電気的な構成を示す図である。
【００６８】
即ち、ヘッドホンの右用スピーカ（Ｒ）の＋端子に接続されたラインＲ、左用スピーカ（Ｌ）の＋端子に接続されたラインＬ、及び両スピーカの−端子に接続されたラインＣＯＭがそれぞれ、上記ヘッドホンジャック２１６に挿入されるヘッドホンプラグ５０１内の対応する導電部材に接続されている。よって、ヘッドホンプラグ５０１がヘッドホンジャック２１６に挿入されると、上記ラインＲに接続された導電部材がヘッドホンジャックＲ１１１に当接し、スピーカ（Ｒ）とヘッドホンアンプＲ１０８とが接続されることとなる。同様に、上記ラインＬに接続された導電部材がヘッドホンジャックＬ１１２に当接され、スピーカ（Ｌ）とヘッドホンアンプＬ１０９とが接続される。
【００６９】
また、上記ジャック１０２に挿入されるリモコンプラグ５０２は、上記ジャック１０２と図示しないグランドラインとにそれぞれ当接される導電部材を備えており、それら導電部材間にリモコン抵抗ＲＡ，ＲＢ，ＲＣ，ＲＤ及びＲが直列に接続されている。これにより、該リモコンプラグ５０２をジャック１０２に挿入した場合には、上記ＣＰＵ１１６のＡ／Ｄ入力端での入力電圧ＶＡＤに電圧Ｖｒが現れる。従って、この電圧Ｖｒが検出されるか否かにより、ＣＰＵ１１６は、ジャック１０２に挿入されているのがリモコンであるのか、外部マイクであるのかを判別できる。なお、電圧ＶｒはＡ／Ｄ入力端のプルアップ電圧を、プルアップ抵抗１３０の抵抗値と、リモコン抵抗ＲＡ，ＲＢ，ＲＣ，ＲＤ及びＲの抵抗値の和とで分圧した値となる。
【００７０】
また、各リモコン抵抗間とグランドラインとの間にはそれぞれ操作スイッチが設けられており、その操作スイッチをＯＮすることで、上記ＣＰＵ１１６のＡ／Ｄ入力端での入力電圧ＶＡＤにＶ１，Ｖ２，Ｖ３，またはＶ４のいずれかの電圧が現れるようになっている。よって、ＣＰＵ１１６は、この入力電圧ＶＡＤを検出することで、どのスイッチがＯＮされたかを判別できる。そこで、各操作スイッチを、再生スイッチ（ＰＬＡＹｓｗ）５０３、早送スイッチ（ＦＦｓｗ）５０４、早戻スイッチ（ＲＥＷｓｗ）５０５及び停止スイッチ（ＳＴＯＰｓｗ）５０６として使用するものとして、リモコン本体５００に各操作スイッチを操作可能に形成している。
【００７１】
ここで、ヘッドホンとリモコンは、それぞれ別体構成としても良いことは勿論であるが、本実施の形態では、図５の（Ｂ）に示すように、それらを一体としたリモコン付ヘッドホンとして構成するものとしている。ただし、このように一体構成とした場合には、リモコン付ヘッドホンプラグユニット５０７のヘッドホンプラグ５０１とリモコンプラグ５０２を音声記録再生装置本体２０１のジャック２１６、１０２に挿入する際に、プラグの逆挿入を防止できる機構を設けることが好ましい。図６乃至図９は、その例である。
【００７２】
即ち、図６の例では、リモコン付ヘッドホンプラグユニット５０７に突起５０８を設け、また、音声記録再生装置の本体２０１のその突起５０８に対応する位置にその突起５０８挿入用の穴２２５を設けている。このような構成によれば、リモコン付ヘッドホンプラグユニット５０７の突起５０８が本音声記録再生装置の穴２２５に入る方向に挿入することによって、リモコン付ヘッドホンプラグユニット５０７のヘッドホンプラグ５０１とリモコンプラグ５０２とが対応するジャック２１６、１０２に正しく挿入される。これに対して、逆方向に挿入しようとした場合には、上記突起５０８は上記穴２２５に挿入されないので、上記突起５０８が音声記録再生装置本体２０１の外装に当たって、プラグ５０１、５０２の完全挿入を妨げる。これにより、ユーザは、プラグ５０１、５０２を逆挿入しようとしていたことが判る。
【００７３】
この他に、図７の例のように、リモコン付ヘッドホンプラグユニット５０７に段部５０９を設けることで、リモコン付ヘッドホンプラグユニット５０７を正しい方向に挿入した場合には、段部５０９が本音声記録再生装置本体２０１と係合するが、リモコン付ヘッドホンプラグユニット５０７を逆挿入した場合には、段部５０９が本音声記録再生装置本体２０１（例えば記録媒体挿入口２２０）に当たり、プラグの挿入ができなくなるような構造とすることもできる。
【００７４】
更には、図８の例のように、本音声記録再生装置本体２０１のヘッドホンジャック２１６及びジャック１０２をそれぞれ色分けし（本例では緑と赤）、リモコン付ヘッドホンプラグユニットのヘッドホンプラグ５０１及びリモコンプラグ５０２をそれに対応させてヘッドホンプラグ５０１を緑、リモコンプラグ５０２を赤という具合に色分けすることでプラグの逆挿入を防止するものや、図９の例のように、本音声記録再生装置本体２０１側及びリモコン付きヘッドホンプラグユニット５０７側にそれぞれ逆挿入防止用の目印２２６及び５１０を付けて、プラグの挿入時には、これらの目印を合わせるようにして挿入させるもの、などのように視覚的にプラグの逆挿入を防止する構成が考えられる。
【００７５】
次に、図１０のフローチャートを用いて、本実施の形態に係る音声記録再生装置のメインの動作について説明する。
【００７６】
まず、メインスイッチ２１５が操作され、本音声記録再生装置が起動すると、ＣＰＵ１１６内部の図示しないＲＡＭ等の初期化を行う（ステップＳ１１）。次に、ＣＰＵ１１６は、現在の動作モードスイッチ２１２の状態を判別し（ステップＳ１２）、その結果に従ってプレーヤモードまたはレコーダモードの動作を開始する。
【００７７】
始めに、プレーヤモードにおける本音声記録再生装置の動作を説明する。プレーヤモード時に、ユーザによって、各種操作釦が操作されると前述した各種操作釦の動作を開始する。
【００７８】
まず、ＣＰＵ１１６は、本体２０１の録音釦２０３がＯＮされたかを判別し（ステップＳ１３Ａ）、録音釦２０３がＯＮされたと判別した場合には、本音声記録再生装置は、プレーヤモード時に記録動作が行えないようになっているので、警告音を鳴らし、録音動作を行わない（ステップＳ１４Ａ）。
【００７９】
次に、ＣＰＵ１１６は、本体２０１の再生釦２０５がＯＮ、またはリモコンのＰＬＡＷｓｗ５０３がＯＮされたかを判別する（ステップＳ１５Ａ）。なお、リモコンの各操作釦の判別は、前述したように上記Ａ／Ｄ入力電圧ＶＡＤの大きさによって行うものであり、このＰＬＡＹｓｗ５０３のＯＮは、該Ａ／Ｄ入力電圧ＶＡＤ電圧がＶ１であるか否かにより判別する。再生釦２０５またはＰＬＡＹｓｗ５０３のＯＮによる再生指示がなされた場合には、ＣＰＵ１１６は前述の再生動作を行う（ステップＳ１６Ａ）。
【００８０】
次に、ＣＰＵ１１６は、本体２０１の早送釦２０７がＯＮ、またはリモコンのＦＦｓｗ５０４がＯＮされたかを判別する（ステップＳ１７Ａ）。この場合、リモコンのＦＦｓｗ５０４のＯＮは、Ａ／Ｄ入力電圧ＶＡＤが電圧Ｖ２であるか否かにより判別する。早送釦２０７またはＦＦｓｗ５０４による早送り指示がなされた場合には、ＣＰＵ１１６は前述の早送り動作またはインクリメント動作を行う（ステップＳ１８Ａ）。
【００８１】
次に、ＣＰＵ１１６は、本体２０１の早戻釦２０６がＯＮ、またはリモコンのＲＥＷｓｗ５０５がＯＮされたかを判別する（ステップＳ１９Ａ）。リモコンのＲＥＷｓｗ５０５のＯＮは、Ａ／Ｄ入力電圧ＶＡＤが電圧Ｖ３であるか否かにより判別する。早戻釦２０６またはＲＥＷｓｗ５０５による早戻し指示がなされた場合には、ＣＰＵ１１６は前述の早戻し動作またはデクリメント動作を行う（ステップＳ２０Ａ）。
【００８２】
また、ＣＰＵ１１６は、本体２０１の停止釦２０４がＯＮ、またはリモコンのＳＴＯＰｓｗ５０６がＯＮされたかを判別する（ステップＳ２１Ａ）。リモコンのＳＴＯＰｓｗ５０６のＯＮは、Ａ／Ｄ入力電圧ＶＡＤが電圧Ｖ４であるか否かにより判別する。停止釦２０４またはＳＴＯＰｓｗ５０６がＯＮされた場合には、ＣＰＵ１１６は前述の停止動作を行う（ステップＳ２２Ａ）。
【００８３】
更に、ＣＰＵ１１６は、本体２０１のメニュー釦２１０がＯＮされたかを判別する（ステップＳ２３Ａ）。メニュー釦２１０がＯＮされた場合には、ＣＰＵ１１６は表示窓２０２にメニューを表示し、各操作釦の操作によって、サラウンド効果や低音増幅等の特殊効果の切換を行ったり、時計の設定等の音声記録再生装置の各種設定を行うことができるモードに移行する（ステップＳ２４Ａ）。
【００８４】
次に、ＣＰＵ１１６は、本体２０１の消去釦２０８がＯＮされたかを判別する（ステップＳ２５Ａ）。消去釦２０８がＯＮされた場合には、符号化データファイルの消去が行えるモードに移行する（ステップＳ２６Ａ）。
【００８５】
次に、レコーダモードにおける本音声記録再生装置の動作を説明する。レコーダモード時に、ユーザによって各種操作釦が操作されると前述した各種操作釦の動作を開始する。なお、本実施の形態においては、このレコーダモードでは、リモコンによる操作を受け付けないようになっている。
【００８６】
まず、ＣＰＵ１１６は、本体２０１の録音釦２０３がＯＮされたかを判別する（ステップＳ１３Ｂ）。録音釦２０３がＯＮされたと判別した場合は、録音処理を行う（ステップＳ１４Ｂ）。ここで、前述したように、何らかのプラグがジャック１０２に挿入されている場合には、上記切換スイッチ１０３は、内蔵マイク側１０３ａではなくジャック側１０３ｂが優先されるように切り換えられるようになっている。即ち、ジャック１０２にプラグが挿入されている状態では、内蔵マイク１０１による録音ができず、外部マイクによる録音しかできない。しかしながら、上記ジャック１０２には、外部マイクのプラグが挿入される場合とリモコンプラグ５０２が挿入される場合とがある。そこで、本実施の形態においては、この録音処理として、図１１に示すような操作が実行される。
【００８７】
即ち、まず、ＣＰＵ１１６は、接続されているのが外部マイクであるのかリモコンであるのかを判別するために、Ａ／Ｄ入力電圧ＶＡＤが上記Ｖｒであるか否か判別する（ステップＳ１１１Ａ）。ここで、リモコンが接続されていない場合、即ち、外部マイクが接続されている場合、或いはいずれも接続されていない場合には、Ａ／Ｄ入力電圧ＶＡＤはＶｒとはならない。従って、上記Ａ／Ｄ入力電圧ＶＡＤがＶｒでない場合には、ＣＰＵ１１６は、上記切換スイッチ１０３の切り換えによる外部マイクまたは内蔵マイク１０１を使用した前述の録音動作を開始する（ステップＳ１１２Ａ）。これに対して、上記Ａ／Ｄ入力電圧ＶＡＤがＶｒであった場合には、リモコンが接続されていると判別して、警告音を鳴らし（ステップＳ１１３Ａ）、録音動作を行わないように制御する。従って、ユーザは、この警告により、リモコンが接続されていることを知り、リモコンプラグ５０２をジャック１０２から抜いて、内蔵マイク１０１による録音を可能とするか、外部マイクを接続してその外部マイクによる録音を可能とすることができる。
【００８８】
次に、ＣＰＵ１１６は、本体２０１の再生釦２０５がＯＮされたかを判別する（ステップＳ１５Ｂ）。再生釦２０５がＯＮされた場合には、ＣＰＵ１１６は前述の再生動作を行う（ステップＳ１６Ｂ）。
【００８９】
次に、ＣＰＵ１１６は、本体２０１の早送釦２０７がＯＮされたかを判別する（ステップＳ１７Ｂ）。早送釦２０７がＯＮされた場合には、ＣＰＵ１１６は前述の早送り動作またはインクリメント動作を行う（ステップＳ１８Ｂ）。
【００９０】
次に、ＣＰＵ１１６は、早戻釦２０６がＯＮされたかを判別する（ステップＳ１９Ｂ）。早戻釦２０６がＯＮされた場合には、ＣＰＵ１１６は前述の早戻し動作またはデクリメント動作を行う（ステップＳ２０Ｂ）。
【００９１】
また、ＣＰＵ１１６は、本体２０１の停止釦２０４がＯＮされたかを判別する（ステップＳ２１Ｂ）。停止釦２０４がＯＮされた場合には、ＣＰＵ１１６は前述の停止動作を行う（ステップＳ２２Ｂ）。
【００９２】
更に、ＣＰＵ１１６は、本体２０１のメニュー釦２１０がＯＮされたかを判別する（ステップＳ２３Ｂ）。メニュー釦２１０がＯＮされた場合には、ＣＰＵ１１６は表示窓２０２にメニューを表示し、各操作釦の操作によって、時計の設定等の音声記録再生装置の各種設定が行うことができるモードに移行する（ステップＳ２４Ｂ）。
【００９３】
次に、ＣＰＵ１１６は、本体２０１の消去釦２０８がＯＮされたかを判別する（ステップＳ２５Ｂ）。消去釦２０８がＯＮされた場合には、符号化データファイルの消去が行えるモードに移行する（ステップＳ２６Ｂ）。
【００９４】
本音声記録再生装置は、以上の動作を終えた後、上記ステップＳ１２に戻り、メインループを形成する。
【００９５】
［第２の実施の形態］
本発明の第２の実施の形態について、図１２を用いて説明する。本実施の形態は、第１の実施の形態の変形例であり、レコーダモードにおいて、リモコンが本音声記録再生装置に接続されていても録音動作をできるようにしたものである。
【００９６】
即ち、本実施の形態に係る音声記録再生装置は、図１２（Ａ）に示すように、図１の回路において、上記切換スイッチ１０３を介して上記プリアンプ１０４に接続されるように構成されている上記内蔵マイク１０１をスイッチａ（ＳＷａ）１２５を介して上記プリアンプ１０４に接続し、また、上記ジャック１０２を上記ＣＰＵ１１６のＡ／Ｄ入力端に接続し、更に、上記内蔵マイク１０１とジャック１０２を入力切換スイッチ１０３とスイッチｂ（ＳＷｂ）１２６を介して上記プリアンプ１０４に接続した構成としている。
【００９７】
図１２（Ｂ）は、このような構成とした場合の上記ステップＳ１４Ｂの録音処理の詳細を示すフローチャートである。
【００９８】
即ち、ＣＰＵ１１６は、そのＡ／Ｄ入力端の入力電圧ＶＡＤが所定のＶｒであるか否かを判別することにより、リモコンが接続されているか否かを判別する（ステップＳ１１１Ｂ）。
【００９９】
ここで、リモコンが接続されていないと判別した（ＶＡＤがＶｒでない）場合には、ＳＷａ１２５をＯＦＦ及びＳＷｂ１２６をＯＮして（ステップＳ１１２Ｂ）、録音を開始する（ステップＳ１１４Ｂ）。前述したように、入力切換スイッチ１０３は、ジャック１０２に何らかのプラグが挿入されると機械的にジャック側１０３ｂに切り換わるものであるが、上記ステップＳ１１１Ｂにおいてリモコンが接続されていないと判別されているので、接続されているとすれば外部マイクである。よって、その外部マイクからの信号が上記入力切換スイッチ１０３及びＳＷｂ１２６を介して上記プリアンプ１０４に供給されて、録音されることになる。あるいは、ジャック１０２に何も挿入されていない場合には、上記切換スイッチ１０３は内蔵マイク側１０３ａを選択しているので、上記ＳＷａ１２５がＯＦＦされたとしても、この入力切換スイッチ１０３及びＳＷｂ１２６を介して上記内蔵マイク１０１からの信号が上記プリアンプ１０４に供給されて、録音されることになる。
【０１００】
一方、上記ステップＳ１１１Ｂにおいてリモコンが接続されていると判別した（ＶＡＤがＶｒ）場合には、ＣＰＵ１１６は、ＳＷａ１２５をＯＮ及びＳＷｂ１２６をＯＦＦして（ステップＳ１１３Ｂ）、録音を開始する（ステップＳ１１４Ｂ）。即ち、この場合には、上記ＳＷａ１２５及びＳＷｂ１２６の制御により、内蔵マイク１０１からＳＷａ１２５を介したプリアンプ１０４への信号ラインが形成され、入力切換スイッチ１０３からＳＷｂ１２６を介したプリアンプ１０４への信号ラインが切り離される。従って、リモコンからの信号は入力切換スイッチ１０３を介してＳＷｂ１２６に与えられるが、このＳＷｂ１２６がＯＦＦされているので、その信号はプリアンプ１０４へは供給されない。プリアンプ１０４へ供給されるのは、ＳＷａ１２５を介した上記内蔵マイク１０１からの信号のみであり、これが録音されることになる。
【０１０１】
従って、このような構成とすることにより、リモコンが接続されているときには内蔵マイク１０１を使用して録音することが可能となるので、レコーダモードにおいても、リモコンによる操作を受け付けるようにすることも可能となる。
【０１０２】
［第３の実施の形態］
本第３の実施の形態は、上記第２の実施の形態と同様に、リモコン接続時にも内蔵マイク１０１で録音できるようにする例である。
【０１０３】
即ち、本実施の形態においては、図６で説明した本音声記録再生装置本体２０１の穴２２５の内部に機械的なスイッチ（ＲＭｓｗ）１２７を設けたものである。つまり、前述した図６の例では、リモコン付ヘッドホンプラグユニット５０７を本音声記録再生装置に接続する場合に、上記突起５０８が穴２２５に嵌入されるようになっており、このときに上記突起２２５の押圧力によりＲＭｓｗ１２７が切り換わるような構成とする。
【０１０４】
それに対応する部分の回路図を図１３に示す。即ち、入力切換スイッチ１０３は、上記のようなＲＭｓｗ１２７は、Ｎｏｒｍａｌ側を介して上記プリアンプ１０４に接続され、また、上記入力切換スイッチ１０３を介して上記プリアンプ１０４に接続されるように構成されている上記内蔵マイク１０１が上記ＲＭｓｗ１２７のＲＭ側を介しても上記プリアンプ１０４に接続されるような構成とする。ここで、上記ＲＭｓｗ１２７は、通常はＮｏｒｍａｌ側を選択しており、上記のように突起５０８が穴２２５に嵌入されるとＲＭ側に切り換わる。
【０１０５】
従って、ジャック１０２に何も挿入されていないときには、内蔵マイク１０１からの信号が、内蔵マイク側１０３ａを選択している入力切換スイッチ１０３とＮｏｒｍａｌ側を選択しているＲＭｓｗ１２７とを介してプリアンプ１０４に供給されて、録音されることになる。
【０１０６】
そして、リモコン付ヘッドホンプラグが接続されると、即ち、ジャック１０２とヘッドホンジャック２１６に図６に示したようなリモコン付ヘッドホンプラグユニット５０７のリモコンプラグ５０２が挿入されると、ＲＭｓｗ１２７はＮｏｒｍａｌ側からＲＭ側に切り換わる。従って、内蔵マイク１０１からの信号がＲＭ側を選択しているＲＭｓｗ１２７を介してプリアンプ１０４に供給されて録音されることになる。このとき、リモコンからの信号は、ジャック側１０３ｂを選択している入力切換スイッチ１０３によりＣＰＵ１１６のＡ／Ｄ入力端には供給されるが、ＲＭｓｗ１２７がＲＭ側に切り換えられているため、プリアンプ１０４には与えられない。
【０１０７】
［第４の実施の形態］
本第４の実施の形態も上記第２及び第３の実施の形態と同様に、リモコン接続時にも内蔵マイク１０１で録音できるようにする例であり、本実施の形態に係る音声記録再生装置は、本体２０１に、リモコン接続状態に応じてユーザが手動操作する図示しないスイッチを設けたものである。
【０１０８】
図１４は、それに対応する部分の回路構成を示す図である。即ち、上記ユーザが手動操作するスイッチとして提供されるＲＭｓｗａ１２８は、Ｎｏｒｍａｌ側とＲＭ側の２つのポジションを備え、Ｎｏｒｍａｌ側では、上記入力切換スイッチ１０３を上記プリアンプ１０４に接続し、ＲＭ側では上記内蔵マイク１０１とプリアンプ１０４とを接続する。また、本体２０１内部には、このＲＭｓｗａ１２８と連動して切り換わるＲＭｓｗｂ１２９が設けられている。即ち、このＲＭｓｗｂ１２９もＮｏｒｍａｌ側とＲＭ側の２つのポジションを備え、ＲＭ側では上記ＣＰＵ１１６のＡ／Ｄ入力端に上記ジャック１０２を接続し、Ｎｏｒｍａｌ側では、上記ＣＰＵ１１６のＡ／Ｄ入力端に何も接続しない状態とするものである。
【０１０９】
このような構成によれば、ジャック１０２に何も接続していないときには、ユーザはＲＭｓｗａ１２８をＮｏｒｍａｌ側に設定するので、内蔵マイク１０１からの信号は、何もジャック１０２に挿入されていないことにより内蔵マイク側１０３ａに設定されている入力切換スイッチ１０３と該ＲＭｓｗａ１２８を介してプリアンプ１０４に供給されて、録音される。このとき、ＲＭｓｗｂ１２９は上記ＲＭｓｗａ１２８に連動するのでＮｏｒｍａｌ側に設定されており、よって、ＣＰＵ１１６のＡ／Ｄ入力端には何も供給されない。また、ジャック１０２に外部マイクのプラグが挿入されている場合も、ユーザは上記ＲＭｓｗａ１２８をＮｏｒｍａｌ側に設定する。従って、この場合には、ジャック１０２にプラグが挿入されたことにより入力切換スイッチ１０３がジャック側１０３ｂに切り換えられるので、内蔵マイク１０１からの信号は、この入力切換スイッチ１０３及びＲＭｓｗａ１２８の両方によってプリアンプ１０４から切り離される。そして、外部マイクからジャック１０２を介して入力される信号が、上記入力切換スイッチ１０３とＲＭｓｗａ１２８を介してプリアンプ１０４に供給されて、録音される。このとき、ＲＭｓｗｂ１２９は上記ＲＭｓｗａ１２８に連動するのでＮｏｒｍａｌ側に設定されており、よって、ＣＰＵ１１６のＡ／Ｄ入力端には何も供給されない。
【０１１０】
そして、ジャック１０２にリモコンプラグ５０２を挿入した場合には、ユーザは、ＲＭｓｗａ１２８をＲＭ側に切り換え操作する。これにより、内蔵マイク１０１からの信号は、上記入力切換スイッチ１０３を介したラインは切断されているが、ＲＭｓｗａ１２８を介してプリアンプ１０４に供給されるので、録音を行うことができる。そして、リモコンからの信号は、ＲＭｓｗｂ１２９が上記ＲＭｓｗａ１２８に連動してＲＭ側に切り換えられるので、ＣＰＵ１１６のＡ／Ｄ入力端に供給される。また、入力切換スイッチ１０３を介したリモコン信号は、上記ＲＭｓｗａ１２８により遮断されるので、プリアンプ１０４に伝えられることはない。
【０１１１】
なお、ＲＭｓｗａ１２８は、手動操作のスイッチであるため、レコーダモードにおいて、外部マイクを接続したにもかかわらず、ユーザが誤って該ＲＭｓｗａ１２８をＲＭ側に切り換えてしまう場合がある。このようにＲＭ側に切り換えてしまうと、外部マイクを接続したにもかかわらず、内蔵マイク１０１で録音されることになる。このとき、ＣＰＵ１１６は、上記ＲＭｓｗｂ１２９を介して、前述したようにして接続されているのがリモコンか外部マイクかを判別することができるので、接続されているものがリモコンか外部マイクであれば、録音時に警告音を鳴らすことで、ユーザに注意を促すことができる。
【０１１２】
なお、本実施の形態では、ＲＭｓｗａ１２８をユーザが手動操作するスイッチとして説明したが、ＲＭｓｗｂ１２９をそのような手動操作スイッチとし、ＲＭｓｗａ１２８をそのＲＭｓｗｂ１２９に連動するスイッチとして構成しても良い。更には、本体２０１には別の操作部材を設けて、その操作に連動してこれらＲＭｓｗａ１２８とＲＭｓｗｂ１２９が切り換わるものとしてもよい。
【０１１３】
以上実施の形態に基づいて本発明を説明したが、本発明は前述した実施の形態に限定されるものではなく、本発明の要旨の範囲内で種々の変形や応用が可能なことは勿論である。
【０１１４】
ここで、本発明の要旨をまとめると特許請求の範囲に記載したものに加えて以下のようなものを含む。
【０１１５】
（１）  上記記録手段は、アナログ形式で供給される上記入力信号を符号化した後に、記録媒体に記録することを特徴とする請求項２に記載の音声記録再生装置。
【０１１６】
（２）  音声の記録及び再生を行うことが可能な動作モードであるレコーダモードと、音声の記録はできないが、記録されている音声を再生することは可能な動作モードであるプレーヤモードと、を有する音声記録再生装置において、
上記プレーヤモードのときには、音声信号を入力するためのマイク入力端子を介して、該音声記録再生装置の動作を制御するためのリモコン信号を受信するリモコン信号受信手段を具備することを特徴とする音声記録再生装置。
【０１１７】
（３）  音声記録再生装置の音声信号出力部に接続される第１の接続手段と、
上記音声記録再生装置の音声信号入力部に接続される第２の接続手段と、
上記第１の接続手段を介して上記音声記録再生装置から供給される音声信号を音声に変換して出力する音声出力手段と、
上記音声記録再生装置の動作制御信号を発生する制御信号発生手段と、
上記制御信号発生手段により発生する動作制御信号を上記第２の接続手段を介して上記音声記録再生装置に供給する制御信号供給手段と、
を具備することを特徴とする遠隔操作装置。
【０１１８】
（４）  上記第１の接続手段及び上記第２の接続手段は、一体的に構成されていることを特徴とする請求項（３）に記載の遠隔操作装置。
【０１１９】
（５）  上記一体的に構成された部分には、上記音声記録再生装置の音声出力部及び音声入力部近傍に描かれている表示と一体となって正しい接続方向を示す表示を有することを特徴とする（４）に記載の遠隔操作装置。
【０１２０】
（６）  音声記録再生装置の音声信号出力ジャックに接続される第１のプラグと、
上記音声記録再生装置の音声信号入力ジャックに接続される第２のプラグと、
音声記録再生装置の動作制御信号を発生する制御信号発生手段と、
上記制御信号を上記第２のプラグを介して上記音声記録再生装置に供給する制御信号供給手段と、
上記第１のプラグが上記音声記録再生装置の上記音声信号入力ジャックに挿入されようとした場合および／または上記第２のプラグが上記音声記録再生装置の上記音声信号出力ジャックに挿入されようとした場合には、上記第１のプラグおよび／または上記第２のプラグが上記音声信号入力ジャックおよび／または上記音声信号出力ジャックに完全に挿入されないようにする逆挿入防止機構と、
を具備することを特徴とする遠隔操作装置。
【０１２１】
【発明の効果】
以上詳述したように、本発明によれば、音声信号を入力する外部マイクと、本音声記録再生装置の操作を行うことができる遠隔操作装置とを１つの入力端子で兼用して接続することができるため、装置に必要な入力端子の数を省略することができ、装置自体の小型化が期待できる。
【図面の簡単な説明】
【図１】第１の実施の形態に係る音声記録再生装置の構成を示すブロック図である。
【図２】第１の実施の形態における音声記録再生装置を斜め前方からみたときの外観図である。
【図３】第１の実施の形態における音声記録再生装置を斜め後方からみたときの外観図である。
【図４】メモリカードに記録されるデータを説明するための図である。
【図５】本発明の第１の実施の形態に係る遠隔操作装置としてのリモコン付ヘッドホンの回路構成図及び外観図である。
【図６】リモコン付ヘッドホンの逆挿入を防止する機構の第１の例を説明するための図である。
【図７】リモコン付ヘッドホンの逆挿入を防止する機構の第２の例を説明するための図である。
【図８】リモコン付ヘッドホンの逆挿入を防止する機構の第３の例を説明するための図である。
【図９】リモコン付ヘッドホンの逆挿入を防止する機構の第４の例を説明するための図である。
【図１０】第１の実施の形態に係る音声記録再生装置のメインの動作を説明するフローチャートを示す図である。
【図１１】第１の実施の形態におけるレコーダモード時の録音処理を説明するためのフローチャートを示す図である。
【図１２】第２の実施の形態における回路構成と録音処理の動作フローチャートを示す図である。
【図１３】第３の実施の形態における回路構成を示す図である。
【図１４】第４の実施の形態における回路構成を示す図である。
【符号の説明】
１０１  内蔵マイク
１０２  ジャック
１０３  入力切換スイッチ
１１３  スピーカ
１１６  制御回路（ＣＰＵ）
１１７  メモリカード
１２０  操作スイッチ群
１２５  スイッチａ（ＳＷａ）
１２６  スイッチｂ（ＳＷｂ）
１２７  スイッチ（ＲＭｓｗ）
１２８  スイッチａ（ＲＭｓｗａ）
１２９  スイッチｂ（ＲＭｓｗｂ）
２０１  音声記録再生装置本体
２１０  メニュー釦
２１２  動作モードスイッチ
２１５  メインスイッチ
２１６  ヘッドホンジャック
２２５  穴
２２６  目印
５００  リモコン本体
５０１  ヘッドホンプラグ
５０２  リモコンプラグ
５０３  再生スイッチ（ＰＬＡＹｓｗ）
５０４  早送スイッチ（ＦＦｓｗ）
５０５  早戻スイッチ（ＲＥＷｓｗ）
５０６  停止スイッチ（ＳＴＯＰｓｗ）
５０７  リモコン付ヘッドホンプラグユニット
５０８  突起
５０９  段部
５１０  目印
【図１】
0004733873.tif 000002
【図２】
0004733873.tif 000003
【図３】
0004733873.tif 000004
【図４】
0004733873.tif 000005
【図５】
0004733873.tif 000006
【図６】
0004733873.tif 000007
【図７】
0004733873.tif 000008
【図８】
0004733873.tif 000009
【図９】
0004733873.tif 000010
【図１０】
0004733873.tif 000011
【図１１】
0004733873.tif 000012
【図１２】
0004733873.tif 000013
【図１３】
0004733873.tif 000014
【図１４】
0004733873.tif 000015